(57)【要約】      （修正有）【課題】味に変化を加え、且つ冷媒漏れを防ぐことが出来る、雪状氷製造機の味付装置を提供する。【解決手段】回転ドラムと密封蓋と密封部品と収容装置と少なくとも一つの味付装置とからなり、回転ドラム１１が単一開口の構造をなし、且つ冷媒導管が挿設された開口に密封蓋と密封部品が設けられる。これにより、密封性を高めて、回転ドラム内の冷媒が漏れる可能性を最小に抑える。また、味付装置６に収容された味付料が収容装置に流入して給水装置７から供給される製氷原料と混合されることにより、回転ドラムと収容装置が共に作動して氷状物を生成した時に、氷状物が味付料の風味を有するようになる。【選択図】図７
0003202295.tif 000002
【実用新案登録請求の範囲】
【請求項１】
回転ドラムと、密封蓋と、密封部品と、収容装置と、少なくとも一つの味付装置とからなる、雪状氷製造機の味付装置であって、
前記回転ドラムは、冷媒を流通させるために用いられるとともに、前記回転ドラム一端は閉じており、他端には開口が形成され、
前記開口には、冷媒導管が挿設され、
前記密封蓋は、前記回転ドラムにおける前記冷媒導管が挿設された側辺に設けられるとともに、前記密封蓋は前記冷媒が漏れないように前記冷媒導管に嵌められ、
前記密封部品は、前記回転ドラムと前記密封蓋の間に設けられるとともに、前記冷媒が漏れないように前記冷媒導管に嵌められ、
前記収容装置には、製氷原料が収容されるとともに、前記収容装置は前記回転ドラムの側辺に設けられ、且つ前記回転ドラムの表面に氷状物が生成されるように、前記収容装置は前記回転ドラムと互いに働き合い、
前記味付装置には、味付料が収容されるとともに、前記味付料が前記製氷原料と混合されて前記氷状物に味の変化を与えるように、前記味付装置は前記収容装置の側辺に設けられて前記収容装置と連通することを特徴とする、雪状氷製造機の味付装置。
【請求項２】
前記密封蓋と前記冷媒導管の間には、前記回転ドラムがスムーズに回転するように、少なくとも一つの第一回転軸受が設けられ、
前記密封部品と前記冷媒導管の間には、前記回転ドラムがスムーズに回転するように、少なくとも一つの第二回転軸受が設けられ、
前記密封蓋と前記密封部品の間には、冷媒が漏れないように、少なくとも一つの第一密封リングが設けられ、
前記密封部品と前記回転ドラムの間には、冷媒が漏れないように、少なくとも一つの第二密封リングが設けられ、
前記冷媒導管は、前記冷媒を前記回転ドラム内に注入するための外側導管と、前記外側導管内に設けられるとともに前記回転ドラム内の前記冷媒を排出するための内側導管とからなり、
前記密封部品内には、弾性伸縮部品が設けられ、
前記弾性伸縮部品の側辺には、第一漏れ止めリングが設けられ、
前記第一漏れ止めリングにおける前記弾性伸縮部品と逆側の側辺には、第二漏れ止めリングが設けられ、
更に、前記弾性伸縮部品・前記第一漏れ止めリング・前記第二漏れ止めリングは、前記冷媒導管上に嵌められるとともに、前記密封部品と前記密封蓋によって囲まれたスペース内に収容され、且つ冷媒が漏れないように、前記弾性伸縮部品によって前記第一漏れ止めリングと前記第二漏れ止めリングが圧迫されることを特徴とする、請求項１に記載の雪状氷製造機の味付装置。
【請求項３】
前記開口には、前記密封部品の一部が前記回転ドラム内に入るように挿し込まれ、
前記密封蓋は、前記密封部品における前記開口と逆側の面に設けられ、
前記回転ドラムにおける前記開口と逆側の面には、支持棒が延伸して形成され、
更に、前記雪状氷製造機には、支持台座が設けられ、
前記支持台座の側辺には、前記回転ドラムがスムーズに回転するように、前記冷媒導管が固定挿設されるための固定リングが設けられ、
前記支持台座の他側辺には、前記回転ドラムがスムーズに回転するように、前記支持棒が可動に挿設されるための転がり軸受が設けられ、
更に、前記支持台座の一側には、動力部品が設けられ、
前記動力部品は、前記回転ドラムを回転させるために、前記支持棒と動力的に連動し、
前記動力部品と前記支持棒の間には、動力を伝えるための連動部品が設けられ、
前記支持台座上には、前記収容装置と前記味付装置が設けられ、
前記収容装置には、製氷原料を供給するための給水装置が少なくとも一つ連通され、
前記支持台座の側辺には、前記回転ドラムの位置と対応するとともに前記氷状物を取り下ろして雪状にするための氷削装置が少なくとも一つ設けられることを特徴とする、請求項１に記載の雪状氷製造機の味付装置。
【請求項４】
前記冷媒導管上には、少なくとも一つの密封カバーが嵌められ、
前記密封カバーは、冷媒の高圧衝撃を抑えるために前記密封部品と当接することを特徴とする、請求項１に記載の雪状氷製造機の味付装置。
【請求項５】
前記雪状氷製造機内には、少なくとも一つの収容スペースが設けられることを特徴とする、請求項１に記載の雪状氷製造機の味付装置。
【考案の詳細な説明】
【技術分野】
【０００１】
本考案は、味に変化を加えるとともに、冷媒漏れを防ぐことが出来る、雪状氷製造機の味付装置に関する。
【背景技術】
【０００２】
中華民国特許Ｍ４９４２８４号明細書に開示されている従来の雪状氷製造機は、冷媒管が回転ドラムの中心における枢軸として設けられるとともに、回転ドラムが中空且つ両端開口の構造を備えている。これにより、冷媒管がスムーズに回転ドラムに貫設されるとともに、外部動力によって回転ドラムが回転し、且つ回転課程において冷媒が回転ドラム内に注入されることで、回転ドラムの表面が低温になって雪状氷（カキ氷）が作られる。更に、使用後の冷媒は循環して再利用される。即ち、回転ドラムの他端から排出されて循環した冷媒が再び低温状態を作り出すことで、雪状氷（カキ氷）が作られる。
【０００３】
しかし、従来の雪状氷製造機は、回転ドラム両端がいずれも開口しているため、冷媒漏れの確率が増したり、使用による軸受の老化や摩損が避けられなかったりする。このため、回転ドラムがズレてしまう・回転ドラムと冷媒管の間における隙間が広がって冷媒が漏れてしまう・製造された雪状氷（カキ氷）の味に変化をつけられない等の問題がある。
【先行技術文献】
【特許文献】
【０００４】
【特許文献１】中華民国特許Ｍ４９４２８４号明細書
【考案の概要】
【考案が解決しようとする課題】
【０００５】
よって、本考案は、異なる味の氷状物の製造が可能で、且つ冷媒漏れを防ぐことが出来る、雪状氷製造機の味付装置を提供することを目的とする。
【課題を解決するための手段】
【０００６】
上述の目的を達成するために、本考案には、冷媒を流通させるための回転ドラムが設けられ、回転ドラム一端は閉じており、他端には開口が形成される。更に、開口には冷媒導管が挿設されるとともに、開口には冷媒導管に嵌められた密封蓋が設けられる。加えて、密封蓋と回転ドラムの間には、冷媒導管に嵌められた密封部品が設けられる。また、回転ドラムの側辺には、製氷原料を収容しておくための収容装置が設けられる。収容装置の側辺には、収容装置と連通するように味付装置が設けられ、味付装置には味付料が収容される。
【０００７】
上述の構造は、更に、雪状氷製造機と結合されて回転するとともに、冷媒が冷媒導管を通って回転ドラム内に注入される。この時、回転ドラムは片側が閉じた単一開口の構造であるため、冷媒漏れの確率を大幅に下げることが出来る。また、密封蓋と回転ドラムの間は、密封部品によって塞がれることで、更に冷媒漏れを減らすことが出来る。
【０００８】
作動時には、回転ドラムが製氷原料と接触することにより、無味の氷状物が生成される。加えて、味付装置を作動させて味付料を製氷原料中に混入することにより、氷状物に異なる味の変化を与えることが出来る。
【考案の効果】
【０００９】
以上により、従来の雪状氷製造機における問題点を解決し、味に変化を与え、且つ冷媒漏れを防止するという効果が得られる。
【図面の簡単な説明】
【００１０】
【図１】本考案の実施例を示した概略図である。
【図２】本考案の分解図である。
【図３】本考案の一部を示した概略図である。
【図４】本考案の回転ドラムの断面図である。
【図５】本考案において支持台座を結合した際の断面図である。
【図６】本考案における冷媒の流動を示した概略図である。
【図７】本考案における雪状氷（カキ氷）の製造を示した概略図である。
【図８】本考案の実施例２の二重密封を示した概略図である。
【図９】本考案の実施例３を示した概略図である。
【考案を実施するための形態】
【００１１】
（実施例１）
図１から図５までを参照する。本考案は、冷媒を流通させるための回転ドラム１１と、冷媒漏れを防ぐための密封蓋１３１と、冷媒漏れを防ぐための密封部品１３２と、製氷原料を入れておくための収容装置５と、味付料を収容するための少なくとも一つの味付装置６と、製氷原料を供給するための少なくとも一つの給水装置７と、回転ドラム１１を回転させるための動力部品４１と、氷状物を取り下ろして雪状にするための少なくとも一つの氷削装置３とからなる。また、回転ドラム１１一端は閉じており、回転ドラム１１他端には開口１１１が形成されるとともに、開口１１１には冷媒導管１２が挿設される。密封蓋１３１は、回転ドラム１１における冷媒導管１２が挿設された側に設けられ、且つ冷媒導管１２に嵌められる。加えて、密封部品１３２は、回転ドラム１１と密封蓋１３１の間に設けられて、密封蓋１３１と共に冷媒導管１２に嵌められる。更に、開口１１１には、密封部品１３２の一部が回転ドラム１１内に入るように差し込まれ、且つ密封部品１３２における開口１１１と逆側の面には、密封蓋１３１が設けられる。また、回転ドラム１１における開口１１１と逆側の面には、支持棒１１２が延伸して形成される。
【００１２】
密封蓋１３１と冷媒導管１２の間には、少なくとも一つの第一回転軸受１６１が設けられ、密封部品１３２と冷媒導管１２の間には、少なくとも一つの第二回転軸受１６２が設けられることにより、回転ドラム１１の回転がスムーズになる。また、冷媒導管１２は、冷媒（高圧）を回転ドラム１１内に注入するための外側導管１２１と、外側導管１２１内に設けられ且つ回転ドラム１１内の冷媒（低圧）を排出するための内側導管１２２とからなる。更に、密封蓋１３１と密封部品１３２の間には、少なくとも一つの第一密封リング１５１が設けられ、密封部品１３２と回転ドラム１１の間には、少なくとも一つの第二密封リング１５２が設けられることにより、冷媒漏れを減らすことが出来る。密封部品１３２内には、弾性伸縮部品１４３が設けられるとともに、弾性伸縮部品１４３側辺には第一漏れ止めリング１４１が設けられ、且つ第一漏れ止めリング１４１における弾性伸縮部品１４３と逆側の位置には第二漏れ止めリング１４２が設けられる。弾性伸縮部品１４３・第一漏れ止めリング１４１・第二漏れ止めリング１４２は、冷媒導管１２上に嵌められるとともに、密封部品１３２と密封蓋１３１に囲まれたスペース内に収容され、且つ弾性伸縮部品１４３によって第一漏れ止めリング１４１と第二漏れ止めリング１４２が圧迫されることにより冷媒漏れを減らすことが出来る。
【００１３】
雪状氷製造機には、更に支持台座２が設けられる。支持台座２側辺には、冷媒導管１２が固定挿設されるための固定リング２１が設けられ、支持台座２他側には、支持棒１１２が可動に挿設されるための転がり軸受２２が設けられることにより、回転ドラム１１がスムーズに回転する。また、動力部品４１は、支持台座２一側に設けられるとともに、動力を伝えるための連動部品４２が動力部品４１と支持棒１１２の間に設けられることにより、動力部品４１と支持棒１１２が動力的に連動して回転ドラム１１が回転する。更に、支持台座２側辺には、回転ドラム１１の位置と対応するように氷削装置３が少なくとも一つ設けられ、氷削装置３は氷状物を取り下ろして雪状にする。
【００１４】
収容装置５は、支持台座２上における回転ドラム１１側辺に設けられるとともに、回転ドラム１１と互いに働き合う。これにより、回転ドラム１１表面に氷状物が生成される。更に、収容装置５は、製氷原料を供給するための少なくとも一つの給水装置７と連通している。給水装置７は、水槽或は水管であり、実施例１において給水装置７は雪状氷製造機の内側に設けられている。但し、給水装置７は雪状氷製造機の外側に設けられることも可能である。また、給水装置７には、少なくとも一つの給水弁が設けられる。味付装置６は、収容装置５側辺に設けられるとともに収容装置５と連通している。実施例１において、味付装置６は収容装置５前側に設けられているものの、味付装置６は収容装置５のいずれの側面に設けられることも可能である。また、味付装置６は、選択的に支持台座２上に設けられるとともに、味付装置６には少なくとも一つの味付料供給弁が設けられる。加えて、雪状氷製造機の側辺には、開閉可能な扉８１が少なくとも一つ設けられる。味付装置６は、扉８１の側辺に設けられることにより、入替や洗浄がしやすくなる。
【００１５】
図１から図７までを参照する。回転ドラム１１は、一端にのみ開口１１１が設けられており、他端が閉じた構造であるため、一側から冷媒が漏れる確率を下げることが出来る。加えて、密封蓋１３１と回転ドラム１１の間に設けられた密封部品１３２によって漏れ防止の効果を向上させるとともに、弾性伸縮部品１４３・第一漏れ止めリング１４１・第二漏れ止めリング１４２が働き合うことで冷媒漏れの可能性を下げることが出来る。
【００１６】
第一回転軸受１６１・弾性伸縮部品１４３・第一漏れ止めリング１４１・第二漏れ止めリング１４２・第二回転軸受１６２は、いずれも同軸になるように冷媒導管１２上に嵌められるため、冷媒導管１２と回転ドラム１１及び支持棒１１２の軸がずれてしまうことがなく、振動やブレ、漏出を減少させることが出来る。
【００１７】
本考案が作動する時、冷媒（高圧）は外側導管１２１を通って回転ドラム１１内に注入され、使用後の冷媒（低圧）は内側導管１２２を通って回転ドラム１１から排出される。また、動力部品４１は、連動部品４２を通して支持棒１１２に回転力を与えることで回転ドラム１１を回転させる。更に、支持台座２・転がり軸受２２・第二回転軸受１６２・第一回転軸受１６１・弾性伸縮部品１４３・第一漏れ止めリング１４１・第二漏れ止めリング１４２・固定リング２１・冷媒導管１２が働き合う構造によって、回転ドラム１１がスムーズに回転する。
【００１８】
また、給水装置７が作動することで、製氷原料が収容装置５に注入される。回転ドラム１１の外表面は、冷媒の影響によって低温状態になるため、接触した製氷原料が冷却されて回転ドラム１１外表面において氷状物に変化する。更に、氷状物は、回転ドラム１１の回転に従って氷削装置３に至るとともに、氷削装置３によって掻き取られて雪状になる。雪状になった氷状物は、使用者に取り出されるまで雪状氷製造機内に集積される。
【００１９】
また、味付装置６が作動することで、味付料が収容装置５内に注入されて製氷原料と混ぜ合わされる。これにより、氷状物に異なる味の変化を加えることが出来る。
【００２０】
（実施例２）
図８を参照する。実施例２における違いは、冷媒導管１２ａ上に少なくとも一つの密封カバー１５３ａが嵌められる点である。また、冷媒導管１２ａは、密封部品１３２ａと接触することで冷媒の高圧衝撃を抑えて漏出防止効果を向上させる。
【００２１】
（実施例３）
図９を参照する。実施例３における違いは、雪状氷製造機内に少なくとも一つの収容スペース８２ｂが設けられる点であり、これにより物品の保存がしやすくなる。
【符号の説明】
【００２２】
１１回転ドラム
１１１開口
１１２支持棒
１２冷媒導管
１２ａ冷媒導管
１２１外側導管
１２２内側導管
１３１密封蓋
１３２密封部品
１３２ａ密封部品
１４１第一漏れ止めリング
１４２第二漏れ止めリング
１４３弾性伸縮部品
１５１第一密封リング
１５２第二密封リング
１５３ａ密封カバー
１６１第一回転軸受
１６２第二回転軸受
２支持台座
２１固定リング
２２転がり軸受
３氷削装置
４１動力部品
４２連動部品
５収容装置
６味付装置
７給水装置
８１扉
８２ｂ収容スペース
【図１】
0003202295.tif 000003
【図２】
0003202295.tif 000004
【図３】
0003202295.tif 000005
【図４】
0003202295.tif 000006
【図５】
0003202295.tif 000007
【図６】
0003202295.tif 000008
【図７】
0003202295.tif 000009
【図８】
0003202295.tif 000010
【図９】
0003202295.tif 000011